(57)【特許請求の範囲】
【請求項１】
コネクタハウジング内に収容される端子金具は、その一部がコネクタハウジング内に埋め込まれるモールド部となり、残りの部分には相手側端子金具と接続される接続部となるコネクタを製造する方法であって、
前記端子金具には、前記モールド部に隣接して被支持部を張り出し形成しておき、前記端子金具を前記コネクタハウジングの成形用金型に仕掛けるに際し、前記接続部と共に前記被支持部が支持され、その後前記金型内に成形用樹脂が充填され、
さらに、前記被支持部は前記モールド部の両側縁を所定長さ範囲に亘って相互に逆向きのＬ字状をなすように折り曲げ形成される一方、前記金型にはこの両被支持部を受入可能な溝形状をもった支持部が形成されていることを特徴とするコネクタの製造方法。
【請求項２】
コネクタハウジングと、このコネクタハウジングの内部に収容され、前記コネクタハウジングの内部に埋没固定されるモールド部と相手側端子金具に連結可能な接続部とが形成された端子金具とよりなるコネクタであって、
前記モールド部を埋没させている前記コネクタハウジングの壁面からは、前記モールド部に隣接し、コネクタハウジングの成形用金型に支持される被支持部が露出し、かつこの被支持部は前記モールド部の両側縁を所定長さ範囲に亘って相互に逆向きのＬ字状をなすように折り曲げ形成され、前記コネクタハウジングの成形の際には同金型に形成された溝形状の支持部に嵌め込み可能となっていることを特徴とするコネクタ。
【請求項３】
前記モールド部には、前記端子金具を貫通する貫通孔が設けられており、この貫通孔内に成形肉が充填されることで、前記端子金具が抜け止め状態で取付けがなされていることを特徴とする請求項２記載のコネクタ。
【発明の詳細な説明】
【０００１】
【発明の属する技術分野】
本発明は、コネクタ、及びその製造方法に関する。
【０００２】
【従来の技術】
図１２には、特開平５−８９９２７号に開示されたコネクタ１００を示した。
【０００３】
このコネクタ１００を製造する方法について簡単に説明すると、まず成形用金型（図示せず）の内部に予め端子部材１０１を装着した状態とした後に、金型内に成形用樹脂を充填する。樹脂が固化した後に、コネクタ１００を金型から取り外す。
【０００４】
【発明が解決しようとする課題】
さて、成形用金型内に樹脂を注ぎ込むときには、金型内部には相当な圧力が掛かる。このため、端子部材１０１の中央部分が成形用樹脂によって押圧され、撓み変形した状態のままコネクタ１００が形成されてしまうことがある。そのようなコネクタ１００では、端子部材１０１の方向が位置ずれしているため、他のコネクタとの連結に支障を来すこととなる。
【０００５】
本発明は、上記事情に鑑みてなされたもので、その目的は、端子金具を一体に成形するコネクタにおいて、端子金具の変形を規制できるコネクタを提供すること、及びそのコネクタの製造方法を提供するところにある。
【０００６】
【課題を解決するための手段】
上記の課題を解決するための請求項１の発明に係るコネクタの製造方法はコネクタハウジング内に収容される端子金具は、その一部がコネクタハウジング内に埋め込まれるモールド部となり、残りの部分には相手側端子金具と接続される接続部となるコネクタを製造する方法であって、前記端子金具には、前記モールド部に隣接して被支持部を張り出し形成しておき、前記端子金具を前記コネクタハウジングの成形用金型に仕掛けるに際し、前記接続部と共に前記被支持部が支持され、その後前記金型内に成形用樹脂が充填され、さらに、前記被支持部は前記モールド部の両側縁を所定長さ範囲に亘って相互に逆向きのＬ字状をなすように折り曲げ形成される一方、前記金型にはこの両被支持部を受入可能な溝形状をもった支持部が形成されていることを特徴とする。
【０００７】
請求項２の発明に係るコネクタは、コネクタハウジングと、このコネクタハウジングの内部に収容され、前記コネクタハウジングの内部に埋没固定されるモールド部と相手側端子金具に連結可能な接続部とが形成された端子金具とよりなるコネクタであって、前記モールド部を埋没させている前記コネクタハウジングの壁面からは、前記モールド部に隣接し、コネクタハウジングの成形用金型に支持される被支持部が露出し、かつこの被支持部は前記モールド部の両側縁を所定長さ範囲に亘って相互に逆向きのＬ字状をなすように折り曲げ形成され、前記コネクタハウジングの成形の際には同金型に形成された溝形状の支持部に嵌め込み可能となっていることを特徴とする。
【０００８】
請求項３の発明に係るコネクタは、請求項２記載のものにおいて、前記モールド部には、前記端子金具を貫通する貫通孔が設けられており、この貫通孔内に成形肉が充填されることで、前記端子金具が抜け止め状態で取付けがなされていることを特徴とする。
【０００９】
【発明の作用および効果】
請求項１、請求項２の発明によれば、金型内に成形用樹脂が充填されるとき、端子金具に対してはモールド部に成形用樹脂の充填圧が作用する。しかし、この端子金具にはモールド部近くに被支持部が形成され、ここが金型によって支持されているため、充填圧による端子金具の変形が回避できる。また、被支持部が断面Ｌ字状とされているため、成形用樹脂を流し込むときに、端子金具の幅方向と厚さ方向との二方向に対する振れを規制できる。
【００１０】
請求項３の発明によれば、成形用樹脂が貫通孔を貫通して成形肉が充填されるため、端子金具がコネクタハウジングから抜けることが防止される。
【００１１】
【発明の実施の形態】
次に、本発明の参考例について、図１〜図１０を参照しつつ詳細に説明する。
まず、図１〜図４を参照しつつ、コネクタ１の構成について説明する。
コネクタ１は、合成樹脂から形成されるコネクタハウジング２と、そのコネクタハウジング２の内部に一体成形される端子金具３とからなる。コネクタ１は、全体として略角筒状とされており、その両端部分には、図示しない相手側コネクタとの嵌合を行う一対の嵌合口４がそれぞれ開口されている。
【００１２】
端子金具３は、導電性板材を打ち抜いて形成されており、その両端部分には、図４に示すように、相手側端子金具（図示せず）と接続可能な一対の接続部５がそれぞれほぼ同一長さをもって形成されている。また、両接続部５の中間部分は、コネクタハウジング２の内部に埋め込まれるモールド部６となっている。このモールド部６の両側縁には、端子金具３の長さ方向に沿って、被支持部７が張り出している。また、モールド部６には、端子金具３の厚さ方向に貫通する貫通孔８が二ヶ所に設けられている。この貫通孔８によって、コネクタハウジング２を形成する樹脂が裏側へ回り込み可能とされている。
【００１３】
コネクタハウジング２の内部には、上記した端子金具３が一体成形されている。コネクタハウジング２の両側部は相手側コネクタを嵌合可能な筒状のフード部１０となっており、共に嵌合口４を開口させている。このフード部１０内には、端子金具３の接続部５が突出されている。また、両フード部１０同士は仕切壁９により区画されている。仕切壁９は、コネクタハウジング２のちょうど中央位置よりも、一方側（図２において右側）の嵌合口４に寄ったところに設けられている。また、仕切壁９の両面には嵌合口４に向かってリブ１１が突設されており、両フード部１０内に突出する接続部５同士を仕切っている。両リブ１１は、図３等に示されるように、フード部１０の上下壁面１３からは離間したところに形成されている。また、両リブ１１は、端子金具３の端縁５Ａよりも嵌合口４に近いところまで突設されており、両端子金具３の極間の絶縁を図っている。
【００１４】
また、図２において、仕切壁９の左側の面からは、両端子金具３を固定する固定壁１２が突設されている。この固定壁１２はフード部１０の上下壁面１３に連続して形成されている。また、固定壁１２の内部において、端子金具３の貫通孔８があるところでは、固定壁１２の上下を連結するように成形肉が充填されている。
なお、端子金具３の被支持部７は、固定壁１２の両側面から露出した状態となっている。また、一対のリブ１１のうち、固定壁１２が突出されている側にあるものには、固定壁１２の端縁が突設される位置と同じ位置まで、上下壁面１３と連結され連結壁１４とされている。
【００１５】
また、図２において、コネクタハウジング２の左右端部の上壁からは、相手側コネクタとの係合状態を保持するためのロック突部１５が突設されている。
さて、次に図５〜図１０を参照しつつ、コネクタ１の製造方法について説明する。まず、製造方法について説明する前に、成形用金型１６，１７について説明しておく。
【００１６】
成形用金型１６，１７は、図５に示すように、左右一対のものから構成されている。なお、金型１６は、金型１７よりも左右方向に長く形成されており、両金型１６，１７のパーティングラインは、コネクタ１の長さ方向のちょうど中央位置よりも、図５において右側にずれたところに設けられている。
【００１７】
成形用金型１６，１７の内部には、上記したコネクタ１の各構成を形成するための凹部１８，１９，２０の他に、端子金具３を装着しておくための接続部装着用凹部２１が設けられている。なお、図中１８はフード部１０を形成するためのフード部用凹部１８であり、１９はリブ１１を形成するためのリブ用凹部１９であり、２０は固定壁１２を形成するための固定壁用凹部２０である。このうち、固定壁用凹部２０は、金型１６にのみ設けられている。そして、固定壁用凹部２０には、連続して接続部装着用凹部２１が設けられている。さらに、固定壁用凹部２０の側縁部分には、端子金具３の被支持部７を嵌め込み可能な支持部２２が凹設されている。また、金型１７には、接続部装着用凹部２１が設けられている（図５を参照。）
【００１８】
コネクタ１を成形するには、まず金型１６の接続部装着用凹部２１に端子金具３の一方側の接続部５を挿入しておく。このとき、被支持部７は支持部２２に嵌め込まれており、端子金具３の両側縁が支持された状態となっている（図６を参照）。
【００１９】
次に、両金型１６，１７を閉じる（図７〜９を参照）。このとき、他方側の接続部５が、金型１７の接続部装着用凹部２１に挿入され、端子金具３の両接続部５が金型１６，１７に支持された状態とされている。
【００２０】
両金型１６，１７の内部に端子金具３を装着した状態にしておいて、成形用樹脂を樹脂注ぎ口（図示せず）から金型内部に注ぎ込む。樹脂は、金型内部に隙間なく充填されて、コネクタ１を形成する（図１０を参照）。金型１６，１７内に成形用樹脂が充填されるとき、端子金具３に対してはモールド部６に成形用樹脂の充填圧が作用する。しかし、この端子金具３にはモールド部６の近くに被支持部７が形成され、ここが金型１６によって支持されているため、充填圧による端子金具３の変形が回避できる。また、このとき、端子金具３の貫通孔８には、樹脂が入り込んで成形肉を形成しており、端子金具３がコネクタハウジング２から抜けることが防止されるようになっている。
最後に、樹脂が固化したら、両金型１６，１７を分離して、内部に形成されたコネクタ１を取り出す。
このように本参考例によれば、端子金具３には、モールド部６の近くに被支持部７が形成され、ここが金型１６によって支持されているため、充填圧による端子金具３の変形が回避できる。
さらに、成形用樹脂が貫通孔８を貫通して成形肉が充填されるため、端子金具３がコネクタハウジング２から抜けることが防止される。
【００２１】
＜実施形態＞
次に、図１１を参照しつつ、本発明の実施形態について説明する。この実施形態は、参考例の被支持部の構造を変化させたものであり、その他の構成は参考例のものと同様である。このため、同一の構成には同一の符号を付して説明を省略する。
【００２２】
この端子金具３のモールド部６の両側縁部分は、参考例の被支持部７に比べて両側に長く突設されており、その先端が、相互に逆向きのＬ字状に折り曲げられて被支持部７’が形成されている。
一方、金型１６の支持部２２’は、被支持部７’の断面形状に合わせたＬ字状とされている。
【００２３】
このように形成された実施形態では、被支持部７’が断面Ｌ字状とされているため、成形用樹脂を流し込むときに、端子金具３の幅方向と厚さ方向との二方向に対する振れを規制できる。
また、端子金具３を金型１６に装着するときに、端子金具３を回転させたとしても挿入が可能であるため、装着操作が円滑に行える。
【００２４】
本発明は前記実施形態に限定されるものではなく、例えば次に記載するようなものも本発明の技術的範囲に含まれる。
（１）支持部は連続的に設ける必要はなく、端子金具のモールド部に沿って断続的に設けてもよい。
（２）貫通孔は二つに限られず、一つでも三つ以上でもよい。また、貫通孔を一つとする場合には、端子金具の長さ方向に沿って長い長径状とすることにより、端子金具の抜止め効果に合わせて、回転規制効果も得られる。
【図面の簡単な説明】
【図１】  参考例のコネクタの正面図
【図２】  図１におけるＡ−Ａ断面図
【図３】  図１におけるＢ−Ｂ断面図
【図４】  端子金具を示す図
（Ａ）端子金具の正面図
（Ｂ）端子金具の平面図
【図５】  端子金具を金型に装着する前の平断面図
【図６】  端子金具を一方の金型に装着したときの平断面図
【図７】  両金型を組み合わせたときの平断面図
【図８】  図７におけるＣ−Ｃ断面図
【図９】  図７におけるＤ−Ｄ断面図
【図１０】  金型内に樹脂を充填させたときの平断面図
【図１１】  本実施形態において、端子金具を金型に装着したときの正断面図
【図１２】  従来例におけるコネクタの側断面図
【符号の説明】
１…コネクタ
２…コネクタハウジング
３…端子金具
５…接続部
６…モールド部
７…被支持部
８…貫通孔
１６，１７…成形用金型
２２…支持部
【図１】
0003674748.tif 000002
【図２】
0003674748.tif 000003
【図３】
0003674748.tif 000004
【図４】
0003674748.tif 000005
【図５】
0003674748.tif 000006
【図６】
0003674748.tif 000007
【図７】
0003674748.tif 000008
【図８】
0003674748.tif 000009
【図９】
0003674748.tif 000010
【図１０】
0003674748.tif 000011
【図１１】
0003674748.tif 000012
【図１２】
0003674748.tif 000013